(57)【要約】【課題】  従来のちりとりでは、可燃物、不燃物の両方を掃き集めていたし、掃き集めたごみをごみ袋やごみ箱に移し変える必要があるし、無駄な時間や労働的負担が大きかった【解決手段】  本考案の一体化ちりとりを使用することにおいて、本体ごみ受け口の前方から板止め溝に可燃物はあみ目板、可燃物、不燃物の両方を掃き集めるときは平板を使用することにより簡単に区別ができるし、ごみをごみ袋やごみ箱に移し変える必要がなくなり、時間や労働的負担が軽くなった【選択図】  図１２
0003109018.tif 000002
【実用新案登録請求の範囲】
【請求項１】
ちりとりの後方部と本体の底面を開口し、後方部にはゴムバンドでゴミ袋を固定取り付けによってちりとりと一体化する。ゴムバンド、ゴミ袋、アミ目板、平板の取り外しが自由自在とした事を特徴とするちりとりです。
【請求項２】
ちりとりの前方からアミ目板、平板が入れるように底の内側にはミゾがついているので用途に応じて取り外しが自在なちりとり。請求項１に記載
【請求項３】
ちりとりの後方開口部において、上下、両側面に弾力性を有するゴム状部材をとりつけゴミ袋を取り付けゴミ袋を引っかける事によってゴミ袋とちりとりが一体化することを特徴するちりとり。請求項１に記載するちりとり
【請求項４】
アミ目板を使用すると不燃物、土砂、小石はアミ目板を通るのでゴミ袋に入るまでに下に落ち可燃物、落ち葉、タバコ、紙、その他のゴミだけが開口部を通ってゴミ袋の中に直接集められる、また平板使用の場合、不燃物、可燃物が同時に掃き集められる。請求項１に記載するちりとり
【考案の詳細な説明】
【技術分野】
【０００１】この考案は、一般家庭、また幼稚園、小、中、高校や公園又は、公共の諸施設等において掃除に使用するちりとりに関するものである。
【背景技術】
【０００２】    従来のちりとりは可燃物と不燃物を両方いっしょに掃き集めていた、また掃き集めたゴミ袋やゴミ箱に変える必要がある。
【考案の開示】
【考案が解決しようとす課題】
【０００３】  従来のちりとりで掃除をすると掃いたゴミをゴミ受けに入れるだけで、ゴミ袋やゴミ箱に移し変える必要があり以下のような問題点がある。
イ、  ちりとりがすぐに満杯になってしまい、つぎのゴミを取るときゴミ受け部の先          端を地面に密着させるため、前にためたゴミが前方にもどってきてしまう。
ロ、  風が吹いたりすると掃き集めたゴミが他の容器に入れる時、飛んだりこぼれる          ことがあった
【問題を解決するための手段】
【０００４】この考案のちりとりは上記従来の問題点を解決するために考えられたものです
イ、  ちりとりの底面と後方部を開口し底面にはアミ目板、平板、後方部にゴムバン          ドでゴミ袋を取り付け及び取り外しが自由自在としたことを特徴としたちりと          りである
【考案の効果】
【０００５】上述の様に、本考案の一体化ちりとりを使用するとゴミ袋のゴミがいっぱいになるまで使用でき、又ゴミをゴミ袋、ゴミ箱に移し変える必要がなくなりゴミ受けに掃き集めたゴミが飛んだりこぼれることがなくなり、時間、手間がはぶけ、又移動するときに一体化しているのでゴミ袋やゴミ箱を移動しなくてよい。
又ゴミ袋はスーパー、コンビニのサービス袋を使用するので大きなゴミ袋やゴミ箱がいらなくなりゴミ袋がいっぱいになったらゴムバンドをはずしゴミ袋上部をむすんで所定の場所に置く。
又サービス袋を使用するので廃物利用ともなる
【考案の実施するための最良の形態】
【０００６】ちりとりの底面に前方から溝にアミ目板、平板を入れ、後方部は、上下、両側面に弾力性を有するゴム状部材を取り付け、ゴミ袋を引っかけることによってちりとりとゴミ袋は一体化となる
アミ目板の使用の場合には不燃物、土砂、小石はアミ目板面を通ってゴミ袋に入るまでにアミ目面を通って下に落ち可燃物、落ち葉、タバコ、紙、その他ゴミだけが開口部を通って、ゴミ袋の中に直接集められる。
ゴミ袋のゴミがいっぱいになったら弾力性を有するゴム状部材を取り外してゴミ袋をゴミとともに所定におく
このゴミ袋はスーパーコンビニのサービス袋をそのまま使用することで廃物利用ともなる
【図面の簡単な説明】
【０００７】
【図１】  本考案の正面図である
【図２】  本考案の裏面図である
【図３】  本考案の側面図である
【図４】  本考案の本体後方部の開口部の斜面図である
【図５】  本考案のゴムバンドとゴミ袋の取り付け正面図である
【図６】  本考案のゴムバンドとゴミ袋の取り付け裏面図である
【図７】  本考案のゴムバンドとゴミ袋の取り付け側面図である
【図８】  本考案のゴムバンド取り付け図である
【図９】  本考案のゴムバンドの断面図である
【図１０】  アミ目板である
【図１１】  平板板である
【符号の説明】
【０００８】１    取手
２    クサリ
３    可動ブタ
４    本体
５    ゴムバンド
６    ゴムバンド止めアナ
７    ゴムバンドズレ止め
８    アミ目板、平板止め
９    底面開口
１０  アミ目板、平板止め溝
１１  本体後方部開口
１２  アミ目板
１３  平板
１４  ビニール袋
１５  本体後方開口口
【図１】
0003109018.tif 000003
【図２】
0003109018.tif 000004
【図３】
0003109018.tif 000005
【図４】
0003109018.tif 000006
【図５】
0003109018.tif 000007
【図６】
0003109018.tif 000008
【図７】
0003109018.tif 000009
【図８】
0003109018.tif 000010
【図９】
0003109018.tif 000011
【図１０】
0003109018.tif 000012
【図１１】
0003109018.tif 000013
【手続補正書】
【提出日】平成16年9月22日(2004.9.22)
【手続補正１】
【補正対象書類名】実用新案登録請求の範囲
【補正対象項目名】全文
【補正方法】変更
【補正の内容】
【実用新案登録請求の範囲】
【請求項１】
ちりとり本体の後方部と本体の底面を開口し、後方部にはゴムバンドでごみ袋を固定取り付けによってちりとりと一体化し、ゴムバンド、ごみ袋、アミ目板、平板の取り外しが自由自在とした事を特徴とするちりとりです
【請求項２】
ちりとりの前方開口両側面内側にはアミ目板、平板止めの溝がついていて用途に応じて取り外しが自在な請求項１に記載のちりとり
【請求項３】
ちりとりの後方開口部において、上下、両側面に弾力性を有するゴム状部材を取り付けごみ袋を引っかけることによってごみ袋とちりとり本体とが一体化することを特徴する請求項１に記載するちりとり
【請求項４】
アミ目板を使用すると不燃物、土砂、小石はアミ目板を通るのでごみ袋に入るまでに下に落ち、可燃物、落ち葉、タバコ、紙、その他のごみだけがアミ目板を通ってごみ袋の中に直接集められる請求項１に記載するちりとり
【請求項５】
平板使用の場合、不燃物、可燃物が同時に掃き集められる請求項１に記載するちりとり
【手続補正２】
【補正対象書類名】明細書
【補正対象項目名】全文
【補正方法】変更
【補正の内容】
【考案の詳細な説明】
【技術分野】
【０００１】    本考案は、一般家庭、又幼稚園、小中高、大学や公園や公共の諸施設等において、掃除に使用するちりとりに関するものである
【背景技術】
【０００２】    従来のちりとりは可燃物と不燃物を両方一緒に掃き集めていた、又掃き集めたごみをごみ袋やごみ箱に移し変える必要があるし、又ごみ袋とちりとりを両方持って掃き集めていた
【考案の開示】
【考案が解決しようとする課題】
【０００３】    従来のちりとりでは、掃き集めていたごみをごみ箱に移し変えたり、ごみ袋を持って掃除をしていたので移動は時間的、又ごみ袋とちりとりを両方持って掃き集めるので労働的負担であるし、風が強い時などごみがこぼれ落ちる事があるし、従って、ちりとりの機能とごみ袋の機能を一体化することにより、ごみの掃き集めが一度で可能になり前述の欠点を解決しようとするものである
【課題を解決するための手段】
【０００４】    本考案は本体後方部にゴムバンドにてごみ袋を固定、取り付けし一体化ちりとりにしてごみ受け口の前方からアミ目板、平板、止め溝が本体両内側面下部についているので用途に応じて、可燃物はアミ目板を使用し、不燃物、可燃物を同時に掃き集める時は、平板を使用する
【考案の効果】
【０００５】    上述の様に、本考案の一体化ちりとりは、ちりとり本体の前方口からは、用途に応じて、アミ目板、平板を板止め溝に入れて後方口にはゴムバンドにてごみ袋止めてちりとりの一体化をしたので、ごみの可燃物、不燃物を一度で掃き集められるので、移動の時間や労働的負担がかるくなったし、ごみ袋はスーパー、コンビニでもらうサービス袋を使用するので廃物利用になるし、経済的である
（２）
【考案が実施するための最良の形態】
【０００６】    ちりとりに用途に応じて、あみ目板、平板、ごみ袋をセットし、一体化しごみに対してちりとり受け口を地面に垂直に下ろして、左右に隙間ができないようにしてごみを受け口に掃き入れる
【図面の簡単な説明】
【０００７】
【図１】▲１▼本考案の可動ブタの開口部の斜面図である
【図２】▲２▼本考案の可動ブタを閉めた斜面図である
【図３】▲３▼本考案の後方部の斜面図である
【図４】▲４▼本考案の真裏面図である
【図５】▲５▼本考案の本体真中の断面図である
【図６】▲６▼本考案の止め板溝の左の拡大図である
【図７】▲７▼考案の止め板溝の右の拡大図である
【図８】▲８▼本考案の側面図である
【図９】▲９▼本考案の真上からゴムバンドとごみ袋の一体化拡大図である
【図１０】▲１０▼本考案の真裏からのあみ目板とゴムバンドとごみ袋の一体化の拡大図である
【図１１】▲１１▼本考案のゴムバンドのズレ止めの拡大図である
【図１２】▲１２▼一体化ちりとりの完成図である
【図１３】▲１３▼本考案の平板図である
【図１４】▲１４▼本考案のあみ目板図である
【符号の説明】
【０００８】１取手
２クサリ
３可動ブタ
４本体
５ゴムバンド
６ゴムバンドズレ止め
７あみ目板、平板のズレ止めの溝
８あみ目板
９平板
１０ビニール袋
１１後方開口部
１２裏面開口部
１３前方開口部
【手続補正３】
【補正対象書類名】図面
【補正対象項目名】全図
【補正方法】変更
【補正の内容】
【図１】
0003109018.tif 000014
【図２】
0003109018.tif 000015
【図３】
0003109018.tif 000016
【図４】
0003109018.tif 000017
【図５】
0003109018.tif 000018
【図６】
0003109018.tif 000019
【図７】
0003109018.tif 000020
【図８】
0003109018.tif 000021
【図９】
0003109018.tif 000022
【図１０】
0003109018.tif 000023
【図１１】
0003109018.tif 000024
【図１２】
0003109018.tif 000025
【図１３】
0003109018.tif 000026
【図１４】
0003109018.tif 000027
【手続補正書】
【提出日】平成17年1月7日(2005.1.7)
【手続補正１】
【補正対象書類名】実用新案登録請求の範囲
【補正対象項目名】請求項１
【補正方法】変更
【補正の内容】
【請求項１】
ちりとりの底面のゴミ掃き入り口から前方、後方に巾各２，５ｃｍ、両側面に巾各２ｃｍを残し、あと底面は開口し、両側面には前方から後方まで各板止め溝がついてあり、用途に応じて、前方ゴミ掃き入り口から各板を差し入れてちりとりと一体化し、本体の後方部は開口し後方部にはゴムバンドでゴミ袋を取り付ける事によってちりとりと一体化し、ゴムバンド、ゴミ袋、アミ目板、平板の取り外しが自由自在としたことを特徴とするちりとりです
【手続補正２】
【補正対象書類名】手続補正書
【補正対象項目名】手続補正４
【補正方法】削除
【補正の内容】